(57)【要約】      （修正有）【課題】スムーズにローラーが回転できるとともに耐久性を向上させた滑動部材及び滑動部材を備える目地プレートを提供すること。【解決手段】左右の取付部材２と、この取付部材に設けられた軸３と、該軸に第１間隙を有して取り付けられたアイドリングローラー５と、該アイドリングローラーに第２間隙を有して取り付けられた支持ローラー７とからなることを特徴とする。【選択図】図１
2018039442.tif 000002
【特許請求の範囲】
【請求項１】
左右の取付部材と、この取付部材に設けられた軸と、該軸に第１間隙を有して取り付けられたアイドリングローラーと、該アイドリングローラーに第２間隙を有して取り付けられた支持ローラーとからなることを特徴とする滑動部材。
【請求項２】
前記左右の取付部材は、一体的に形成されており、断面視略下向きコ字形であることを特徴とする請求項１に記載の滑動部材。
【請求項３】
前記左右の取付部材は、一対のバー部材であり、この一対のバー部材に複数個の軸、アイドリングローラー及び支持ローラーがそれぞれ取り付けられていることを特徴とする請求項１に記載の滑動部材。
【請求項４】
前記左右の取付部材は、箱状の部材の左右の内壁であることを特徴とする請求項１に記載の滑動部材。
【請求項５】
一方の躯体と他方の躯体間の目地部を塞ぐ目地プレートであって、該目地プレートの少なくとも一方の端部に設けられた滑動部材とで構成され、前記滑動部材は、左右の取付部材と、この取付部材に設けられた軸と、該軸に第１間隙を有して取り付けられたアイドリングローラーと、該アイドリングローラーに第２間隙を有して取り付けられた支持ローラーとからなることを特徴とする滑動部材を備える目地プレート。
【発明の詳細な説明】
【技術分野】
【０００１】
本発明は物体をスライド移動可能に支承する滑動部材及び滑動部材を備える目地プレートに関する。
【背景技術】
【０００２】
従来の滑動部材やローラーとしては、軸を有し、この軸に略密着状態で回転自在に取り付けられた回転部材とで構成されるものが周知である。
また、主に目地プレート等を支持する滑動部材等としては、「少なくとも一対の支持バーと、この少なくとも一対の支持バーに両端部が所定間隔で固定された複数本の軸と、この複数本の軸にそれぞれ回転可能に取付けられた、該軸の外径寸法よりも内径寸法が大きく、下端部が前記一対の支持バーの下端部より下方へ突出するパイプ状のローラーとからなることを特徴とするコロ支承」が知られている（例えば特許文献１）。
【０００３】
しかし、周知のローラー等では、軸と回転部材が略密着しており、軸と回転部材との間のグリース等が失われると、回転部材がスムーズに回転しなくなり、錆等が発生するおそれがあるという欠点があった。
【０００４】
また、特許文献のコロ支承では、軸とパイプ状のローラーが直接接触した状態で荷重がかかったローラーが回転するため、軸が削れやすくなり、耐久性に問題があった。
【先行技術文献】
【特許文献】
【０００５】
【特許文献１】特開２００９−６３１４５号公報
【発明の概要】
【発明が解決しようとする課題】
【０００６】
本発明は以上のような従来の欠点に鑑み、スムーズにローラーが回転できるとともに耐久性を向上させた滑動部材及び滑動部材を備える目地プレートを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の滑動部材は、左右の取付部材と、この取付部材に設けられた軸と、該軸に第１間隙を有して取り付けられたアイドリングローラーと、該アイドリングローラーに第２間隙を有して取り付けられた支持ローラーとからなることを特徴とする。
【０００９】
また、本発明の滑動部材を備える目地プレートは、一方の躯体と他方の躯体間の目地部を塞ぐ目地プレートであって、該目地プレートの少なくとも一方の端部に設けられた滑動部材とで構成され、前記滑動部材は、左右の取付部材と、この取付部材に設けられた軸と、該軸に第１間隙を有して取り付けられたアイドリングローラーと、該アイドリングローラーに第２間隙を有して取り付けられた支持ローラーとからなることを特徴とする。
【発明の効果】
【００１０】
以上の説明から明らかなように、本発明にあっては次に列挙する効果が得られる。
（１）請求項１に記載の発明においては、軸に第１間隙を有して取り付けられたアイドリングローラーと、該アイドリングローラーに第２間隙を有して取り付けられた支持ローラーを設けているので、グリース等がなくても、支持ローラーがスムーズに回転できる。
（２）また、軸と支持ローラーとの間にアイドリングローラーを設けているので、荷重のかかった支持ローラーが直接軸に接触しないので、荷重を分散することができ、軸がすり減るのを防止することができる。
したがって、耐久性を向上させることができる。
（３）請求項２に記載の発明においても前記（１）〜（２）の効果を得られると共に、キャスター状の支持部材として様々な用途に用いることができる。
（４）請求項３に記載の発明においても前記（１）〜（２）の効果を得られるとともに、複数個の支持ローラーを一対のバー部材状の取付部材に設けているので、目地プレート支持部等に載置して、目地プレートをスライド移動可能に支持する支持部材として用いることができる。
（５）請求項４に記載の発明においても前記（１）〜（２）の効果を得られる。
（６）請求項５に記載の発明においても前記（１）〜（２）の効果を得られる。
【図面の簡単な説明】
【００１１】
図１乃至図５は本発明の第１の実施形態を示す説明図である。
図６乃至図８は本発明の第２の実施形態を示す説明図である。
【図１】第１の実施形態の滑動部材の正面図。
【図２】滑動部材の平面図。
【図３】図２の３−３線断面図。
【図４】滑動部材を備える目地プレートの説明図。
【図５】目地プレートを支持する支持バーの滑動部材として用いられた場合の説明図。（ａ）支持アームの説明図、（ｂ）挿入支持アームの説明図。
【図６】第２の実施形態の滑動部材の正面図。
【図７】滑動部材の平面図。
【図８】図７の８−８線断面図。
【図９】使用状態の参考図。
【発明を実施するための形態】
【００１２】
以下、図面に示す本発明を実施するための形態により、本発明を詳細に説明する。
図１乃至図５に示す本発明を実施するための第１の形態において、１は滑動部材で、この滑動部材１は、左右の取付部材２と、この取付部材２に固定された軸３と、該軸３に第１間隙４を有して取り付けられたアイドリングローラー５と、該アイドリングローラー５に第２間隙６を有して取り付けられた支持ローラー７とで構成される。
【００１３】
前記左右の取付部材２は、本実施の形態においては、キャスターに用いられるフォークのような部材であり、断面視略下向きコ字形状となっており、左右の取付部材２が一体的に形成されている。なお、軸２やアイドリングローラー５、支持ローラー７が長尺となる場合には、アングル状の取付部材２を左右に設けてもよい。
前記軸３は、円柱状の金属棒であり、この軸３の両端部は、前記左右の取付部材２に固定的に取り付けられている。
【００１４】
前記アイドリングローラー５は、前記軸３と第１間隙４を有して回転可能に設けられている。このアイドリングローラー５は、本実施の形態においては、金属製でパイプ状に形成されている。
【００１５】
前記支持ローラー７は、アイドリングローラー５と第２間隙６を有して回転可能に設けられている。この支持ローラー７は、本実施の形態においては、金属製でパイプ状に形成されている。
【００１６】
本発明の滑動部材１は、図４に示すように、床用目地装置に用いられる目地プレート８の一端部の底面を支持する支持部材として用いることができる。
【００１７】
このような目地プレート８の支持部材として用いられた場合には、目地プレート８の先端部側の底面に複数個の滑動部材１を設けることにより、目地プレート８をスライド移動可能に支持する。
【００１８】
この滑動部材を備える目地プレート８は、本実施の形態においては、先端部側（一方の端部）にのみ滑動部材１を備えているが、他方の端部側にも滑動部材１を備えた目地プレート８としてもよい。
【００１９】
なお、滑動部材１の軸３、アイドリングローラー５及び支持ローラー７を長尺にし、１つの滑動部材１で目地プレート８の先端部を支持してもよい。
本発明の滑動部材１を例えば、特開２０１６−１５６２１２号の床用目地装置に用いられる支持バー９に用いることができる。
【００２０】
このような支持バー９に用いられた場合には、筒状の支持アーム１０の内側の先端部付近に設けられるローラーとして、本発明の滑動部材１が用いられる。なお、この場合、筒状の支持アーム１０の左右壁面が左右の取付部材２として用いられる。また、この筒状の支持アーム１０に挿入される挿入支持アーム１１の先端部底面付近に設けられるローラーとして、本発明の滑動部材１が用いられる。
【００２１】
[発明を実施するための異なる形態]
次に、図６乃至図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図６乃至図９に示す本発明を実施するための第２の形態において、前記本発明を実施するための第１の形態と主に異なる点は、左右の取付部材２Ａを一対のバー部材とし、この取付部材２Ａに複数個の軸３、アイドリングローラー５及び支持ローラー７を設けた点で、このような滑動部材１Ａにしても、前記本発明を実施するための第１の形態と同様の作用効果を得ることができる。
【００２３】
なお、左右の取付部材２Ａの高さ寸法は、滑動部材１Ａを載置した際に、支持ローラー７の上端部が左右の取付部材２Ａの上端部よりも上、又は支持ローラー７の下端部が左右の取付部材２Ａの下端部よりも下に位置する程度の寸法となっている。
例えば、図９に示すような使用用途の場合には、支持ローラー７の上端部が左右の取付部材２Ａの上端部よりも上に位置するとともに、支持ローラー７の下端部が取付部材２Ａの下端部よりも下に位置しないように軸３やアイドリングローラー５、支持ローラー７が設けられる。
【００２４】
また、目地プレート８等に固定的に設ける場合には、支持ローラー７の下端部が左右の取付部材２Ａの下端部よりも下に位置するように軸３、アイドリングローラー５及び支持ローラー７が設けられる。
本実施形態の滑動部材１Ａは、例えば図９に示すように、床用目地装置１２が設置される躯体１３に設けられ、床用目地装置１２がスムーズにスライド移動できるように支持する用途に用いられる。
【産業上の利用可能性】
【００２５】
本発明は滑動部材を製造する産業で利用される。
【符号の説明】
【００２６】
１、１Ａ：滑動部材、                ２、２Ａ：取付部材、
３：軸、                            ４：第１間隙、
５：アイドリングローラー、          ６：第２間隙、
７：支持ローラー、                  ８：目地プレート、
９：支持バー、                      １０：支持アーム、
１１：挿入支持アーム、              １２：床用目地装置、
１３：躯体。
【図１】
2018039442.tif 000003
【図２】
2018039442.tif 000004
【図３】
2018039442.tif 000005
【図４】
2018039442.tif 000006
【図５】
2018039442.tif 000007
【図６】
2018039442.tif 000008
【図７】
2018039442.tif 000009
【図８】
2018039442.tif 000010
【図９】
2018039442.tif 000011
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
左右の取付部材と、この取付部材に設けられた軸と、該軸に第１間隙を有して取り付けられたパイプ状のアイドリングローラーと、該アイドリングローラーに第２間隙を有して取り付けられたパイプ状の支持ローラーとからなることを特徴とする滑動部材。
【請求項２】
前記左右の取付部材は、一体的に形成されており、断面視略下向きコ字形であることを特徴とする請求項１に記載の滑動部材。
【請求項３】
前記左右の取付部材は、一対のバー部材であり、この一対のバー部材に複数個の軸、アイドリングローラー及び支持ローラーがそれぞれ取り付けられていることを特徴とする請求項１に記載の滑動部材。
【請求項４】
前記左右の取付部材は、箱状の部材の左右の内壁であることを特徴とする請求項１に記載の滑動部材。
【請求項５】
一方の躯体と他方の躯体間の目地部を塞ぐ目地プレートであって、該目地プレートの少なくとも一方の端部に設けられた滑動部材とで構成され、前記滑動部材は、左右の取付部材と、この取付部材に設けられた軸と、該軸に第１間隙を有して取り付けられたパイプ状のアイドリングローラーと、該アイドリングローラーに第２間隙を有して取り付けられたパイプ状の支持ローラーとからなることを特徴とする滑動部材を備える目地プレート。
【手続補正２】
【補正対象書類名】明細書
【補正対象項目名】全文
【補正方法】変更
【補正の内容】
【発明の詳細な説明】
【技術分野】
【０００１】
本発明は物体をスライド移動可能に支承する滑動部材及び滑動部材を備える目地プレートに関する。
【背景技術】
【０００２】
従来の滑動部材やローラーとしては、軸を有し、この軸に略密着状態で回転自在に取り付けられた回転部材とで構成されるものが周知である。
また、主に目地プレート等を支持する滑動部材等としては、「少なくとも一対の支持バーと、この少なくとも一対の支持バーに両端部が所定間隔で固定された複数本の軸と、この複数本の軸にそれぞれ回転可能に取付けられた、該軸の外径寸法よりも内径寸法が大きく、下端部が前記一対の支持バーの下端部より下方へ突出するパイプ状のローラーとからなることを特徴とするコロ支承」が知られている（例えば特許文献１）。
【０００３】
しかし、周知のローラー等では、軸と回転部材が略密着しており、軸と回転部材との間のグリース等が失われると、回転部材がスムーズに回転しなくなり、錆等が発生するおそれがあるという欠点があった。
【０００４】
また、特許文献のコロ支承では、軸とパイプ状のローラーが直接接触した状態で荷重がかかったローラーが回転するため、軸が削れやすくなり、耐久性に問題があった。
【先行技術文献】
【特許文献】
【０００５】
【特許文献１】特開２００９−６３１４５号公報
【発明の概要】
【発明が解決しようとする課題】
【０００６】
本発明は以上のような従来の欠点に鑑み、スムーズにローラーが回転できるとともに耐久性を向上させた滑動部材及び滑動部材を備える目地プレートを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の滑動部材は、左右の取付部材と、この取付部材に設けられた軸と、該軸に第１間隙を有して取り付けられたアイドリングローラーと、該アイドリングローラーに第２間隙を有して取り付けられた支持ローラーとからなることを特徴とする。
【０００９】
また、本発明の滑動部材を備える目地プレートは、一方の躯体と他方の躯体間の目地部を塞ぐ目地プレートであって、該目地プレートの少なくとも一方の端部に設けられた滑動部材とで構成され、前記滑動部材は、左右の取付部材と、この取付部材に設けられた軸と、該軸に第１間隙を有して取り付けられたアイドリングローラーと、該アイドリングローラーに第２間隙を有して取り付けられた支持ローラーとからなることを特徴とする。
【発明の効果】
【００１０】
以上の説明から明らかなように、本発明にあっては次に列挙する効果が得られる。
（１）請求項１に記載の発明においては、軸に第１間隙を有して取り付けられたアイドリングローラーと、該アイドリングローラーに第２間隙を有して取り付けられた支持ローラーを設けているので、グリース等がなくても、支持ローラーがスムーズに回転できる。
（２）また、軸と支持ローラーとの間にアイドリングローラーを設けているので、荷重のかかった支持ローラーが直接軸に接触しないので、荷重を分散することができ、軸がすり減るのを防止することができる。
したがって、耐久性を向上させることができる。
（３）請求項２に記載の発明においても前記（１）〜（２）の効果を得られると共に、キャスター状の支持部材として様々な用途に用いることができる。
（４）請求項３に記載の発明においても前記（１）〜（２）の効果を得られるとともに、複数個の支持ローラーを一対のバー部材状の取付部材に設けているので、目地プレート支持部等に載置して、目地プレートをスライド移動可能に支持する支持部材として用いることができる。
（５）請求項４に記載の発明においても前記（１）〜（２）の効果を得られる。
（６）請求項５に記載の発明においても前記（１）〜（２）の効果を得られる。
【図面の簡単な説明】
【００１１】
図１乃至図５は本発明の第１の実施形態を示す説明図である。
図６乃至図８は本発明の第２の実施形態を示す説明図である。
【図１】第１の実施形態の滑動部材の正面図。
【図２】滑動部材の平面図。
【図３】図２の３−３線断面図。
【図４】滑動部材を備える目地プレートの説明図。
【図５】目地プレートを支持する支持バーの滑動部材として用いられた場合の説明図。（ａ）支持アームの説明図、（ｂ）挿入支持アームの説明図。
【図６】第２の実施形態の滑動部材の正面図。
【図７】滑動部材の平面図。
【図８】図７の８−８線断面図。
【図９】使用状態の参考図。
【発明を実施するための形態】
【００１２】
以下、図面に示す本発明を実施するための形態により、本発明を詳細に説明する。
図１乃至図５に示す本発明を実施するための第１の形態において、１は滑動部材で、この滑動部材１は、左右の取付部材２と、この取付部材２に固定された軸３と、該軸３に第１間隙４を有して取り付けられたアイドリングローラー５と、該アイドリングローラー５に第２間隙６を有して取り付けられた支持ローラー７とで構成される。
【００１３】
前記左右の取付部材２は、本実施の形態においては、キャスターに用いられるフォークのような部材であり、断面視略下向きコ字形状となっており、左右の取付部材２が一体的に形成されている。なお、軸２やアイドリングローラー５、支持ローラー７が長尺となる場合には、アングル状の取付部材２を左右に設けてもよい。
前記軸３は、円柱状の金属棒であり、この軸３の両端部は、前記左右の取付部材２に固定的に取り付けられている。
【００１４】
前記アイドリングローラー５は、前記軸３と第１間隙４を有して回転可能に設けられている。このアイドリングローラー５は、本実施の形態においては、金属製でパイプ状に形成されている。
【００１５】
前記支持ローラー７は、アイドリングローラー５と第２間隙６を有して回転可能に設けられている。この支持ローラー７は、本実施の形態においては、金属製でパイプ状に形成されている。
【００１６】
本発明の滑動部材１は、図４に示すように、床用目地装置に用いられる目地プレート８の一端部の底面を支持する支持部材として用いることができる。
【００１７】
このような目地プレート８の支持部材として用いられた場合には、目地プレート８の先端部側の底面に複数個の滑動部材１を設けることにより、目地プレート８をスライド移動可能に支持する。
【００１８】
この滑動部材を備える目地プレート８は、本実施の形態においては、先端部側（一方の端部）にのみ滑動部材１を備えているが、他方の端部側にも滑動部材１を備えた目地プレート８としてもよい。
【００１９】
なお、滑動部材１の軸３、アイドリングローラー５及び支持ローラー７を長尺にし、１つの滑動部材１で目地プレート８の先端部を支持してもよい。
本発明の滑動部材１を例えば、特開２０１６−１５６２１２号の床用目地装置に用いられる支持バー９に用いることができる。
【００２０】
このような支持バー９に用いられた場合には、筒状の支持アーム１０の内側の先端部付近に設けられるローラーとして、本発明の滑動部材１が用いられる。なお、この場合、筒状の支持アーム１０の左右壁面が左右の取付部材２として用いられる。また、この筒状の支持アーム１０に挿入される挿入支持アーム１１の先端部底面付近に設けられるローラーとして、本発明の滑動部材１が用いられる。
【００２１】
[発明を実施するための異なる形態]
次に、図６乃至図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図６乃至図９に示す本発明を実施するための第２の形態において、前記本発明を実施するための第１の形態と主に異なる点は、左右の取付部材２Ａを一対のバー部材とし、この取付部材２Ａに複数個の軸３、アイドリングローラー５及び支持ローラー７を設けた点で、このような滑動部材１Ａにしても、前記本発明を実施するための第１の形態と同様の作用効果を得ることができる。
【００２３】
なお、左右の取付部材２Ａの高さ寸法は、滑動部材１Ａを載置した際に、支持ローラー７の上端部が左右の取付部材２Ａの上端部よりも上、又は支持ローラー７の下端部が左右の取付部材２Ａの下端部よりも下に位置する程度の寸法となっている。
例えば、図９に示すような使用用途の場合には、支持ローラー７の上端部が左右の取付部材２Ａの上端部よりも上に位置するとともに、支持ローラー７の下端部が取付部材２Ａの下端部よりも下に位置しないように軸３やアイドリングローラー５、支持ローラー７が設けられる。
【００２４】
また、目地プレート８等に固定的に設ける場合には、支持ローラー７の下端部が左右の取付部材２Ａの下端部よりも下に位置するように軸３、アイドリングローラー５及び支持ローラー７が設けられる。
本実施形態の滑動部材１Ａは、例えば図９に示すように、床用目地装置１２が設置される躯体１３に設けられ、床用目地装置１２がスムーズにスライド移動できるように支持する用途に用いられる。
【産業上の利用可能性】
【００２５】
本発明は滑動部材を製造する産業で利用される。
【符号の説明】
【００２６】
１、１Ａ：滑動部材、                ２、２Ａ：取付部材、
３：軸、                            ４：第１間隙、
５：アイドリングローラー、          ６：第２間隙、
７：支持ローラー、                  ８：目地プレート、
９：支持バー、                      １０：支持アーム、
１１：挿入支持アーム、              １２：床用目地装置、
１３：躯体。